(57)【要約】【課題】  ウォーミングアップ運転時に、用紙が画像形成部に給送されてしまうことを防止する。【解決手段】  電動モータ２０が正転するときには回転力を給送部に伝達し、電動モータ２０が逆転するときには給送部への回転力の伝達を遮断する動力断続機構２３を設け、ウォーミングアップ運転時には、電動モータ２０を逆転させ、かつ、画像形成時には電動モータ２０を正転させる。これにより、ウォーミングアップ運転時には、電動モータ２０が逆転するので、給送部への回転力の伝達が遮断される。したがって、ウォーミングアップ運転時に用紙が画像形成部に給送されてしまうことを防止できるので、無用に用紙が消費されてしまうことを防止できる。【選択図】図２
2013028426.tif 000002
【特許請求の範囲】
【請求項１】
回転力を発生する駆動源と、
シートに画像を形成するとともに、画像形成時に前記駆動源から回転力を得て稼働する稼働部を有する画像形成部と、
前記画像形成部に供給されるシートが載置されるシート載置部と、
前記駆動源から回転力を得て前記シート載置部に載置されているシートを前記画像形成部側に給送する給送部と、
前記駆動源が正転するときには前記回転力を前記給送部に伝達し、前記駆動源が逆転するときには前記給送部への前記回転力の伝達を遮断する動力断続機構と、
前記画像形成部を画像形成可能な状態とするためのウォーミングアップ運転時には、前記駆動源を逆転させ、かつ、前記画像形成時には前記駆動源を正転させる駆動制御部と
を備えることを特徴とする画像形成装置。
【請求項２】
前記ウォーミングアップ運転時及び前記画像形成時のいずれの場合においても、前記画像形成部に供給される回転力の向きが同一の向きとなるように前記画像形成部に回転力を伝達する伝達機構を備えることを特徴とする請求項２に記載の画像形成装置。
【請求項３】
前記伝達機構は、
前記駆動源から回転力を得て回転する入力側歯車、
前記入力側歯車と噛み合って回転するとともに、その回転軸が前記入力側歯車の回転中心に対して旋回可能に支持された遊星歯車、
前記画像形成部側に回転力を出力する出力側歯車、及び
前記出力側歯車及び前記遊星歯車に噛み合って回転し、前記遊星歯車に伝達された回転力の向きを逆転させて前記出力側歯車に伝達する中間歯車
を有して構成されており、
さらに、前記遊星歯車は、前記入力側歯車が一方の向きに回転したときには前記出力側歯車と噛み合い、前記入力側歯車が他方の向きに回転したときには前記中間歯車と噛み合うことを特徴とする請求項２に記載の画像形成装置。
【請求項４】
前記給送部は、前記シート載置部に載置されているシートに接触して回転することによりシートに搬送力を付与する給送ローラを有しており、
さらに、前記動力断続機構から伝達されてきた回転力を前記給送ローラ側に伝達する伝達歯車は、一部のみに歯が設けられた欠歯歯車であることを特徴とする請求項１ないし３のいずれか１項に記載の画像形成装置。
【発明の詳細な説明】
【技術分野】
【０００１】
本発明は、画像形成装置に関するものである。
【背景技術】
【０００２】
例えば、特許文献１に記載の画像形成装置では、ピックアップローラの回転を電磁ソレノイド等の電気的アクチュエータにより制御することにより、用紙の送出タイミングを制御している。
【先行技術文献】
【特許文献】
【０００３】
【特許文献１】特開平１１−５６４１号公報
【発明の概要】
【発明が解決しようとする課題】
【０００４】
ところで、発明者は、画像形成装置の製造原価低減を図るべく、電気的アクチュエータを廃止するとともに、ピックアップローラと画像形成部とを同一の電動モータにて駆動する構成の画像形成装置を検討した。なお、画像形成部とは、例えば、定着ローラ、現像剤攪拌部、及び感光ドラム等の画像形成に直接的に関わる機器を総称するものである。
【０００５】
しかし、発明者は、この検討に係る画像形成装置では、以下のような問題が発生する可能性があることを発見した。
すなわち、ウォーミングアップ運転を実行すべく電動モータを回転させると、ピックアップローラが給紙トレイに載置された用紙に接触している場合、画像形成部のローラと同期して必然的にピックアップローラも回転するので、非画像形成時であるのにも関わらず用紙が画像形成部に給送されてしまい、無用に用紙が消費されてしまう。
【０００６】
本発明は、上記点に鑑み、ウォーミングアップ運転時に、用紙等のシートが画像形成部に給送されてしまうことを防止することを目的とする。
【課題を解決するための手段】
【０００７】
本発明は、上記目的を達成するために、回転力を発生する駆動源（２０）と、シートに画像を形成するとともに、画像形成時に駆動源（２０）から回転力を得て稼働する稼働部（１１）を有する画像形成部（５）と、画像形成部（５）に供給されるシートが載置されるシート載置部（１５）と、駆動源（２０）から回転力を得てシート載置部（１５）に載置されているシートを画像形成部（５）側に給送する給送部（１７）と、駆動源（２０）が正転するときには回転力を給送部（１７）に伝達し、駆動源（２０）が逆転するときには給送部（１７）への回転力の伝達を遮断する動力断続機構（２３）と、画像形成部（５）を画像形成可能な状態とするためのウォーミングアップ運転時には、駆動源（２０）を逆転させ、かつ、画像形成時には駆動源（２０）を正転させる駆動制御部（）とを備えることを特徴とする。
【０００８】
これにより、本発明では、ウォーミングアップ運転時には、駆動源が逆転するので、給送部（１７）への回転力の伝達が動力断続機構（２３）により遮断される。したがって、ウォーミングアップ運転時にシートが画像形成部（５）に給送されてしまうことを防止できるので、無用にシートが消費されてしまうことを防止できる。
【０００９】
なお、「逆転」とは、「正転」に対して逆向きに回転するといった程度の相対的な意味であり、例えば、正転とは「右回りの向きに回転する」といった絶対的な意味ではない。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】本発明の実施形態に係る画像形成装置の中央断面図である。
【図２】正転時における電動モータ２０からピックアップローラ１７Ａ側及び定着ローラ１１側への回転力の伝達状態を示す図である。
【図３】本発明の実施形態に係る動力断続機構２３及びピックアップローラ１７Ａ等の斜視図である。
【図４】逆転時における電動モータ２０からピックアップローラ１７Ａ側及び定着ローラ１１側への回転力の伝達状態を示す図である。
【図５】（ａ）及び（ｂ）は本発明の実施形態に係る伝達機構２５の作動説明図である。
【図６】本発明の実施形態に係る画像形成装置の電気系を示すブロック図である。
【図７】本発明の実施形態に係る画像形成装置における電動モータの回転制御を示すフローチャートである。
【発明を実施するための形態】
【００１１】
以下に説明する「発明の実施形態」は実施形態の一例を示すものであり、特許請求の範囲に記載された発明特定事項等は、下記の実施形態に示された具体的手段や構造等に限定されるものではない。
【００１２】
そして、本実施形態は本発明に係る画像形成装置を電子写真方式の画像形成装置に適用したものであり、以下に本実施形態を図面と共に説明する。
１．画像形成装置の概略構造
画像形成装置１の筐体３内には、図１に示すように、記録用紙やＯＨＰシート等の記録シート（以下、用紙という。）に現像剤像を転写することにより、用紙に画像を形成する電子写真方式の画像形成部５が収納されている。この画像形成部５は、プロセスカートリッジ７、露光器９及び定着ローラ１１等から構成されている。
【００１３】
プロセスカートリッジ７は、現像剤像が担持される感光ドラム７Ａ、感光ドラム７Ａを帯電させる帯電器７Ｂ、及びプロセスカートリッジ７内の現像剤を撹拌する現像剤撹拌部７Ｃ等から構成されている。定着ローラ１１、感光ドラム７Ａ及び現像剤撹拌部７Ｃ等は、画像形成時に、後述する電動モータ２０から回転力を得て稼働する。
【００１４】
そして、帯電した感光ドラム７Ａが露光器９にて露光されて感光ドラム７Ａの外周面に静電潜像が形成された後、電荷を帯びた現像剤が感光ドラム７Ａに供給されると、感光ドラム７Ａの外周面に現像剤像が担持される。
【００１５】
また、感光ドラム７Ａと対向する位置には、感光ドラム７Ａに担持された現像剤を用紙に転写させる転写ローラ１３が配設されている。この転写ローラ１３には、現像剤との間で静電吸引力が発生するような電位、例えば現像剤が帯びている電荷と逆極性の電位が印加されている。因みに、本実施形態に係る転写ローラ１３には、負の電位が印加されている。
【００１６】
このため、感光ドラム７Ａに担持されていた現像剤像は、静電吸引力により転写ローラ１３側に移動して用紙に転写され、その後、現像剤像が転写された用紙が定着ローラ１１にて加熱されることにより現像剤像が用紙に溶着して定着する。
【００１７】
また、画像形成部５の下方側には、給紙トレイ１５が筐体３に対して着脱可能に装着されている。この給紙トレイ１５には、画像形成部５に供給される用紙が積層した状態で載置される。そして、給紙トレイ１５の上方側には、後述する電動モータ２０から回転力を得て用紙を画像形成部５側に給送する給紙部１７が設けられている。
【００１８】
給紙部１７は、給紙トレイ１５に載置されている用紙を送り出すピックアップローラ１７Ａ等を有して構成されている。このピックアップローラ１７Ａは、給紙トレイ１５に載置された複数枚の用紙のうち積層方向上端に位置する用紙に接触して回転することにより、用紙に搬送力を付与する。
【００１９】
また、本実施形態に係る給紙部１７には、用紙の送出タイミングに応じてピックアップローラ１７Ａを上下動させる機構、及び用紙の送出タイミングに応じてピックアップローラ１７Ａの回転を制御する電磁クラッチ等の電気的アクチュエータは設けられていない。
【００２０】
そして、本実施形態では、給紙トレイ１５に載置されている用紙をピックアップローラ１７Ａ側に押し上げる押圧板１７Ｂを給紙トレイ１５の底部に設けて用紙とピックアップローラ１７Ａとを接触させている。したがって、給紙トレイ１５に載置されている用紙の枚数が減少した場合であっても、十分な搬送力を用紙に付与することができ得る。
【００２１】
２．ピックアップローラ及び定着ローラ等への回転力の伝達
２．１  概要
ピックアップローラ１７Ａ及び定着ローラ１１等は、図２に示すように、複数枚の平歯車等からなる歯車列を介して１つの電動モータ２０から回転力を得て回転する。前記歯車列は、減速機構２１、動力断続機構２３、及び伝達機構２５等を備える。
【００２２】
減速機構２１は、電動モータ２０の回転を減速して回転力を増大させる。動力断続機構２３は、減速機構２１から出力される回転力をピックアップローラ１７Ａ等の給送部１７に断続可能に伝達する。伝達機構２５は、減速機構２１から出力される回転力を定着ローラ１１、感光ドラム７Ａ及び現像剤撹拌部７Ｃ等の画像形成部の駆動部に伝達する。
【００２３】
なお、減速機構２１は、モータ歯車２０Ａ、第１歯車２１Ａ、第２歯車２１Ｂ、第３歯車２１Ｃ、及び第４歯車２１Ｄ等を備える。モータ歯車２０Ａは、電動モータ２０の回転軸に組み付けられている。
【００２４】
第１歯車２１Ａは、モータ歯車２０Ａと噛み合う。第２歯車２１Ｂは、第１歯車２１Ａに噛み合う。第３歯車２１Ｃは、第２歯車２１Ｂと同軸上に配置されて第２歯車２１Ｂと一体的に回転する。第４歯車２１Ｄは、第３歯車２１Ｃと噛み合う。
【００２５】
そして、電動モータ２０及び第１〜第４歯車２１Ａ〜２１Ｄの回転軸は、非図示の装置本体フレームに固定されており、第１〜第４歯車２１Ａ〜２１Ｄは、装置本体フレームに対して移動することなく回転することができる。
【００２６】
因みに、装置本体フレームとは、画像形成部５等を支持するための強度部材であり、通常、画像形成部５を挟むように画像形成装置１の左右両側に配設されている。
２．２  動力断続機構
動力断続機構２３は、駆動源である電動モータ２０が正転するときには回転力をピックアップローラ１７Ａに伝達し、電動モータ２０が逆転するときにはピックアップローラ１７Ａへの回転力の伝達を遮断する機構である。
【００２７】
ここで、「逆転」とは、上述したように、「正転」に対して逆向きに回転するといった程度の相対的な意味であり、例えば、正転とは「右回りの向きに回転する」といった絶対的な意味ではない。
【００２８】
そして、動力断続機構２３は、第１遊星歯車２３Ｂ、伝達歯車２３Ｃ、給紙歯車２３Ｄ及び第１出力側歯車２３Ｅ等から構成されている。第１遊星歯車２３Ｂは、第３歯車２１Ｃと噛み合って回転するとともに、リンク２３Ａにより第３歯車２１Ｃの回転中心に対して旋回可能となっている。
【００２９】
第１出力側歯車２３Ｅは装置本体フレームに回転軸が固定された状態で回転する。伝達歯車２３Ｃは、第１出力側歯車２３Ｅと同軸上に配置されて第１出力側歯車２３Ｅと一体的に回転する。給紙歯車２３Ｄは、図３に示すように、ピックアップローラ１７Ａとシャフト１７Ｃを介して一体的に回転する。
【００３０】
伝達歯車２３Ｃは一部のみに歯が設けられた欠歯歯車である。給紙歯車２３Ｄの回転軸は、伝達歯車２３Ｃの歯と噛み合い可能な位置にて装置本体フレームに固定されている。このため、ピックアップローラ１７Ａは、伝達歯車２３Ｃが回転している場合であって、伝達歯車２３Ｃの歯と給紙歯車２３Ｄの歯とが噛み合った場合のみ回転する。
【００３１】
そして、第１遊星歯車２３Ｂは、第３歯車２１Ｃから受ける噛み合い圧力を受ける。このため、第３歯車２１Ｃが図２の矢印で示す左向きに回転している場合には、第１遊星歯車２３Ｂは左向きの旋回力を受ける。因みに、旋回力とは、第１遊星歯車２３Ｂや後述する第２遊星歯車２５Ｂを旋回させる力をいう。
【００３２】
一方、第３歯車２１Ｃが図４の矢印で示す右向きに回転している場合には、第１遊星歯車２３Ｂは、第３歯車２１Ｃの回転と同一の向きである右向きの旋回力を受ける。
なお、以下、図２に示す向きに第３歯車２１Ｃ等が回転している状態を「電動モータ２０が正転」しているという。一方、図４に示す向きに第３歯車２１Ｃ等が回転している状態を「電動モータ２０が逆転」しているという。
【００３３】
したがって、電動モータ２０が正転しているときには、第１遊星歯車２３Ｂに左向きの旋回力が作用するので、第１遊星歯車２３Ｂは、図２に示すように、第１出力側歯車２３Ｅの図２における左下側の位置から第１出力側歯車２３Ｅと噛み合う位置まで左向きに旋回する。
【００３４】
そして、第１遊星歯車２３Ｂが第１出力側歯車２３Ｅと噛み合うと、第１遊星歯車２３Ｂはそれ以上左向きに旋回することができない。このため、第１遊星歯車２３Ｂは第１出力側歯車２３Ｅと噛み合った状態で回転する。したがって、電動モータ２０から伝達されてきた回転力は、第１出力側歯車２３Ｅに伝達される。
【００３５】
一方、電動モータ２０が逆転しているときには、第１遊星歯車２３Ｂに右向きの旋回力が作用する。したがって、第１遊星歯車２３Ｂは、図４に示すように、右向きの旋回力によって第１出力側歯車２３Ｅから離間する。このため、第１出力側歯車２３Ｅとの噛み合いが解除される。つまり、電動モータ２０から第１出力側歯車２３Ｅへの回転力の伝達が遮断されることとなる。
【００３６】
なお、電動モータ２０が逆転している間は、第１遊星歯車２３Ｂに右向きの旋回力が作用する。このため、リンク２３Ａ等が非図示のストッパと衝突することにより、第１遊星歯車２３Ｂが第１出力側歯車２３Ｅから離間した状態が維持される。
【００３７】
２．３  伝達機構
伝達機構２５は、図５に示すように、入力側歯車２５Ａ、第２遊星歯車２５Ｂ、第２出力側歯車２５Ｃ及び中間歯車２５Ｄ等から構成されている。入力側歯車２５Ａは、第４歯車２１Ｄと噛み合って回転する第１歯車部Ｇ１、及び第２遊星歯車２５Ｂと噛み合う第２歯車部Ｇ２が同軸上に配置されて一体化された二段歯車である。
【００３８】
第２遊星歯車２５Ｂは、入力側歯車２５Ａの第２歯車部Ｇ２と噛み合って回転するとともに、リンク２５Ｆを介してその回転軸が入力側歯車２５Ａの回転中心に対して旋回可能に支持されている。
【００３９】
なお、本実施形態では、第１歯車部Ｇ１と第２歯車部Ｇ２とが一体化されて入力側歯車２５Ａが構成されている。したがって、以下、特に断りをした場合を除き、第２遊星歯車２５Ｂと入力側歯車２５Ａとが噛み合うとは、第２遊星歯車２５Ｂと第２歯車部Ｇ２とが噛み合うことを意味するものとする。
【００４０】
第２出力側歯車２５Ｃは定着ローラ１１に回転力を出力する歯車である。中間歯車２５Ｄは、図５（ｂ）に示すように、第２出力側歯車２５Ｃ及び第２遊星歯車２５Ｂに噛み合って回転することにより、第２遊星歯車２５Ｂに伝達された回転力の向きを逆転させて第２出力側歯車２５Ｃに伝達する歯車である。
【００４１】
そして、電動モータ２０が正転しているときには、入力側歯車２５Ａが図５（ａ）に示すように左向きに回転する。このため、第２遊星歯車２５Ｂには左向きの旋回力が作用する。したがって、第２遊星歯車２５Ｂは、第２出力側歯車２５Ｃと噛み合うので、第２出力側歯車２５Ｃは、図５（ａ）の矢印で示す向きに回転する。
【００４２】
一方、電動モータ２０が逆転しているときには、図５（ｂ）に示すように、正転時とは逆に、左向きの旋回力が第２遊星歯車２５Ｂに作用する。このため、第２遊星歯車２５Ｂは、第２出力側歯車２５Ｃから離間し、中間歯車２５Ｄと噛み合う。
【００４３】
これにより、第２遊星歯車２５Ｂに伝達された回転力は、その向きを逆転させられて第２出力側歯車２５Ｃに伝達される。このため、電動モータ２０が逆転しているときであっても、第２出力側歯車２５Ｃは、電動モータ２０が正転しているときと同一の向きに回転する。
【００４４】
したがって、本実施形態では、第２出力側歯車２５Ｃ、つまり定着ローラ１１は、電動モータ２０がいずれの向きに回転した場合であっても、常に同一の向きに回転する。
３．電動モータの回転制御
電動モータ２０の作動、及び露光器９等の画像形成部５の作動は、図６に示すように、制御部３０により制御されている。因みに、制御部３０は、ＣＰＵ、ＲＡＭ及びＲＯＭ等からなるマイクロコンピュータにて構成されている。
【００４５】
そして、電動モータ２０等の作動を制御するプログラムはＲＯＭ等の不揮発性記憶部に格納されている。また、電動モータ２０等の作動を制御するプログラムはＣＰＵにより実行される。以下、電動モータ２０の作動制御を、図７に示すフローチャートに従って説明する。
【００４６】
すなわち、図７に示す作動制御は、非図示の画像形成装置１の電源スイッチが投入されると起動される。また、電源スイッチが遮断されるとその時点で終了する。
そして、電源スイッチが投入されると、先ず、画像形成装置１に接続されたコンピュータ等から送信されてくる印刷ジョブを受信したか否かが判定される（Ｓ１０）。印刷ジョブを受信していないと判定された場合には（Ｓ１０：ＮＯ）、印刷ジョブを受信するまで待機状態となる。
【００４７】
一方、印刷ジョブを受信したと判定された場合には（Ｓ１０：ＹＥＳ）、ウォーミングアップ運転が必要であるか否かが判定される（Ｓ２０）。
ここで、ウォーミングアップ運転とは、画像形成部５を画像形成可能な状態とするための運転をいう。具体的には、（ａ）感光ドラム７Ａを準備回転させて感光ドラム７Ａに付着した不良トナーをあらかじめ取り除くこと、（ｂ）定着ローラ１１の温度を定着可能温度まで上昇させること、及び（ｃ）プロセスカートリッジ７に収納されている現像剤を現像剤攪拌部７Ｃにて撹拌することにより、現像剤に電荷を帯びさせること等の準備運転等をいう。
【００４８】
したがって、例えば、感光ドラム７Ａに付着した不良トナーが十分に取り除かれ、かつ、既に定着ローラ１１の温度が定着可能温度まで上昇し、かつ、現像剤が電荷を帯びている場合には、ウォーミングアップ運転をする必要がない。因みに、本実施形態では、定着ローラ１１の温度が非図示の温度計測部により計測され、その計測結果に基づいて、ウォーミングアップ運転が必要であるか否かが判定される。
【００４９】
そして、ウォーミングアップ運転が必要であると判定されると（Ｓ２０：ＹＥＳ）、電動モータ２０がウォーミングアップに必要な時間、つまりウォーミングアップ運転時間だけ電動モータ２０が逆転させられる（Ｓ３０）。その後、ウォーミングアップ運転が終了すると、電動モータ２０が正転させられて画像形成が開始される（Ｓ４０）。因みに、本実施形態では、ウォーミングアップ運転時間は約５秒である。
【００５０】
次に、画像形成が終了したか否かが判定され（Ｓ５０）、画像形成が終了していないと判定された場合には（Ｓ５０：ＮＯ）、画像形成が継続される。画像形成が終了したと判定された場合には（Ｓ５０：ＹＥＳ）、電動モータ２０が停止された後（Ｓ６０）、再び、Ｓ１０が実行される。
【００５１】
４．本実施形態に係る画像形成装置の特徴
本実施形態では、上述したように、ウォーミングアップ運転時には、電動モータ２０が逆転するので、ピックアップローラ１７Ａへの回転力の伝達が動力断続機構２３により遮断される。したがって、ウォーミングアップ運転時に、用紙が定着ローラ１１等の画像形成部に給送されてしまうことを防止できるので、無用に用紙が消費されてしまうことを防止できる。
【００５２】
また、本実施形態では、定着ローラ１１等の画像形成部に供給される回転力の向きが、伝達機構２５により、電動モータ２０の正転時及び電動モータ２０の逆転時、つまり、ウォーミングアップ運転時及び画像形成時のいずれの場合においても同一の向きとなるので、画像形成部５に不具合が発生することを抑制できる。
【００５３】
ところで、本実施形態に係る伝達機構２５では、入力側歯車２５Ａを連続的に回転させた場合には、入力側歯車２５Ａをいずれの向きに回転させても定着ローラ１１の回転の向きは、同一の向きとなる。
【００５４】
一方、入力側歯車２５Ａの回転の向きを、現在の回転の向きに対して短時間だけ逆転させた後に入力側歯車２５Ａを停止させれば、第２遊星歯車２５Ｂが第２出力側歯車２５Ｃ又は中間歯車２５Ｄから離間する。したがって、電動モータ２０から定着ローラ１１に至る回転力伝達経路を遮断することができる。
【００５５】
したがって、例えば、用紙が搬送経路の途中で詰まった場合に、入力側歯車２５Ａの回転の向きを短時間だけ逆転させた後に入力側歯車２５Ａを停止させれば、電動モータ２０から定着ローラ１１に至る回転力伝達経路を遮断することができる。したがって、搬送経路の途中で詰まった用紙を容易に取り除くことができる。
【００５６】
なお、「短時間」とは、第２遊星歯車２５Ｂと第２出力側歯車２５Ｃ又は中間歯車２５Ｄとの噛み合いを解除するに必要な時間又は回転角に相当する時間をいう。
また、ウォーミングアップ運転時においては、入力側歯車２５Ａは逆転の向きに連続的に回転することとなる。
【００５７】
しかし、本実施形態では、上述したように、入力側歯車２５Ａを連続的に回転させた場合には、入力側歯車２５Ａをいずれの向きに回転させても第２出力側歯車２５Ｃの回転の向きは、同一の向きとなる。したがって、ウォーミングアップ運転時及び画像形成時のいずれの場合においても、定着ローラ１１の回転を同一の向きとすることができる。
【００５８】
また、本実施形態では、ピックアップローラ１７Ａ側に回転力を伝達する伝達歯車２３Ｃは、一部のみに歯が設けられた欠歯歯車である。したがって、電磁ソレノイドや電磁クラッチ等の電気的アクチュエータを用いることなく、ピックアップローラ１７Ａを一定周期で間欠的に回転させることができる。延いては、電気的アクチュエータを用いることなく、用紙を連続的に給送することができる。
【００５９】
（その他の実施形態）
上述の実施形態では、ウォーミングアップ運転時には、少なくとも感光ドラム７Ａ、定着ローラ１１及び現像剤攪拌部７Ｃに電動モータ２０から回転力が伝達されていたが、本発明はこれに限定されるものではなく、例えば、ウォーミングアップ運転時には、少なくとも現像剤攪拌部７Ｃのみに電動モータ２０から回転力が伝達される構成としてもよい。
【００６０】
上述の実施形態では、動力断続機構２３として第１遊星歯車２３Ｂを用いた機構であったが、本発明はこれに限定されるものではなく、例えばワンウェイクラッチにて動力断続機構２３を構成してもよい。
【００６１】
また、上述の実施形態では、定着ローラ１１を特許請求の範囲に記載された稼働部として説明したが、本発明はこれに限定されるものではなく、その他のローラ類や現像剤攪拌部７Ｃ等であってもよい。
【００６２】
また、上述の実施形態では、モノクロ方式の画像形成装置であったが、本発明はこれに限定されるものではなく、例えばダイレクトタンデム方式や中間転写方式の画像形成装置、又はインクジェット方式の画像形成装置であってもよい。
【００６３】
また、上述の実施形態に係る入力側歯車２５Ａでは、第１歯車Ｇ１及び第２歯車Ｇ２からなる二段歯車であったが、本発明はこれに限定されるものではなく、一段歯車にて入力側歯車２５Ａを構成してもよい。
【００６４】
また、本発明は、特許請求の範囲に記載された発明の趣旨に合致するものであればよく、上述の実施形態に限定されるものではない。
【符号の説明】
【００６５】
１…画像形成装置、３…筐体、５…画像形成部、７…プロセスカートリッジ、
７Ａ…感光ドラム、９…露光器、１１…定着ローラ、１３…転写ローラ、
１５…給紙トレイ、１７…給紙部、１７Ａ…ピックアップローラ、１７Ｂ…押圧板、
２０…電動モータ、２０Ａ…モータ歯車、２１…減速機構、２３…動力断続機構、
２３Ａ…リンク、２３Ｂ…第１遊星歯車、２３Ｃ…伝達歯車、２３Ｄ…給紙歯車、
２３Ｅ…第１出力側歯車、２５…伝達機構、２５Ａ…入力側歯車、
２５Ｂ…第２遊星歯車、２５Ｃ…第２出力側歯車、２５Ｄ…中間歯車、
２５Ｅ…リンク、３０…制御部。
【図１】
2013028426.tif 000003
【図２】
2013028426.tif 000004
【図３】
2013028426.tif 000005
【図４】
2013028426.tif 000006
【図５】
2013028426.tif 000007
【図６】
2013028426.tif 000008
【図７】
2013028426.tif 000009